(57)【特許請求の範囲】
【請求項１】
両端に圧着グリップを予め設けられたＰＣケーブルの支持又は定着に用いるプレートにおいて、
二枚のプレートの積層体からなり、
前記一方のプレートはＰＣケーブルを収容可能な外向き溝を形成し、
他方のプレートはＰＣケーブルを収容可能な内向き溝を形成し、
前記両プレートの溝間でＰＣ材を囲繞して収容可能に構成したことを特徴とする、
圧着グリップ付ＰＣケーブル用プレート。
【請求項２】
請求項１に記載の圧着グリップ付ＰＣケーブル用プレートにおいて、二枚のプレートが円環形であることを特徴とする、圧着グリップ付ＰＣケーブル用プレート。
【請求項３】
請求項１に記載の圧着グリップ付ＰＣケーブル用プレートにおいて、二枚のプレートが円弧形であることを特徴とする、圧着グリップ付ＰＣケーブル用プレート。
【請求項４】
請求項１乃至請求項３のいずれかに記載の圧着グリップ付ＰＣケーブル用プレートにおいて、密着させた二枚のプレート間をボルト止めしたことを特徴とする、圧着グリップ付ＰＣケーブル用プレート。
【請求項５】
請求項１乃至請求項４のいずれかに記載の圧着グリップ付ＰＣケーブル用プレートにおいて、二枚のプレートを離隔して配置し、前記プレート間に離隔連結具を介して連結したことを特徴とする、圧着グリップ付ＰＣケーブル用プレート。
【発明の詳細な説明】
【０００１】
【発明の属する技術分野】
本発明は、圧着グリップ付ＰＣケーブルに取り付けて支圧板やスペーサとして兼用できる、圧着グリップ付ＰＣケーブル用プレートに関する。
【０００２】
【従来の技術】
ロックシェッドやスノーシェッド等防護柵用の耐荷構造体としては、鋼管等の管体中にコンクリート等の硬化材を充填させた合成構造体が知られている。
合成構造の耐荷構造体には、管体中にＰＣケーブルを配設し、初期張力がほぼゼロの状態となるようにＰＣケーブルをアンカープレートでもって支持し、管体中に硬化材を充填することにより、管体と硬化材のみの合成構造と比較して、より高い剛性が得られる構成のものがある。
前記耐荷構造体を構成するＰＣケーブルの両端には、ＰＣケーブルをアンカープレートに支持させるためのグリップが設けてある。
この場合、ＰＣケーブルへ確実にグリップを設ける手段として、ＰＣケーブル製作段階で予め圧着グリップを装着した、圧着グリップ付ＰＣケーブルを用いることが知られている。
【０００３】
【発明が解決しようとする課題】
前述した従来の圧着グリップ付ＰＣケーブルを内挿した耐荷構造体にあっては次のような解決すべき課題がある。
＜イ＞  アンカープレートへの支持に圧着グリップを用いる場合、ＰＣケーブル製作時に併せて圧着グリップを設けるため、現場においてアンカープレートにＰＣケーブルを挿通させることができない。
また、圧着グリップをＰＣケーブルに装着するためには、特殊な機械が必要であり、現場においてＰＣケーブル端部に圧着グリップを装着することは困難である。
＜ロ＞  ＰＣケーブルに圧着グリップを設ける際に、アンカープレートを予め挿通させてグリップを圧着することも考えられるが、経済性及び装着後の運搬の困難性を考慮すると現実性に欠けている。
【０００４】
【発明の目的】
本発明は以上の点に鑑み成されたもので、その目的とするところは、圧着グリップ付ＰＣケーブルへの後付が可能であり、ＰＣケーブルへのセット性が良好であり、かつ経済性を兼ね備えた、圧着グリップ付ＰＣケーブル用プレートを提供することにある。
【０００５】
【課題を解決するための手段】
請求項１に係る発明は、両端に圧着グリップを予め設けられたＰＣケーブルの支持又は定着に用いるプレートにおいて、二枚のプレートの積層体からなり、前記一方のプレートはＰＣケーブルを収容可能な外向き溝を形成し、他方のプレートはＰＣケーブルを収容可能な内向き溝を形成し、前記両プレートの溝間でＰＣ材を囲繞して収容可能に構成したことを特徴とする、圧着グリップ付ＰＣケーブル用プレートである。
請求項２に係る発明は、請求項１の圧着グリップ付ＰＣケーブル用プレートにおいて、二枚のプレートが円環形であることを特徴とする、圧着グリップ付ＰＣケーブル用プレートである。
請求項３に係る発明は、請求項１の圧着グリップ付ＰＣケーブル用プレートにおいて、二枚のプレートが円弧形であることを特徴とする、圧着グリップ付ＰＣケーブル用プレートである。
請求項４に係る発明は、請求項１乃至請求項３のいずれかの圧着グリップ付ＰＣケーブル用プレートにおいて、密着させた二枚のプレート間をボルト止めしたことを特徴とする、圧着グリップ付ＰＣケーブル用プレートである。
請求項５に係る発明は、請求項１乃至請求項４のいずれかの圧着グリップ付ＰＣケーブル用プレートにおいて、二枚のプレートを離隔して配置し、前記プレート間に離隔連結具を介して連結したことを特徴とする、圧着グリップ付ＰＣケーブル用プレートである。
【０００６】
【発明の実施の形態１】
以下図面を参照しながら本発明の圧着グリップ付ＰＣケーブル用プレートについて説明する。
なお本発明の実施の形態は、圧着グリップ付ＰＣケーブル用プレートをアンカープレートとしてＰＣ材の端部に取り付けた場合の一例について説明する。
【０００７】
＜イ＞全体の構成
図１に示すように圧着グリップ付ＰＣケーブル用プレート１は、第一プレート１１と第二プレート１２、及び押圧板２とより構成する。
圧着グリップ付ＰＣケーブル用プレート１は、前記第一プレート１１と第二プレート１２とを一体に組み合わせ、この一体に組み合わせたプレート１１，１２に押圧板２を配設して構成する。
圧着グリップ付ＰＣケーブル用プレート１は、圧着グリップ付ＰＣケーブル（以下、「ＰＣケーブル）とする）３に装着された状態で耐荷構造体等を構成する公知の管体４に配設される。
【０００８】
＜ロ＞第一プレート
第一プレート１１は、基体１１１に少なくともＰＣケーブルの断面径よりも径の大きな開口１１２を有する円環形を呈し、前記開口１１２より基体１１１に、ＰＣケーブル３を収容する外向き溝１１３を形成して構成してある。
ＰＣケーブル３へ第一プレート１１を装着するには、ＰＣケーブル３を先ず基体１１１の開口１１２内に挿通させ、その後にＰＣケーブル３を所定の外向き溝１１３に嵌め入れて収容する。
この際ＰＣケーブル３は、図２に示すように端部に圧着グリップ３１を予め装着してあるから、先ずＰＣケーブル３の断面径よりも径の大きな開口１１２より圧着グリップ３１を通す。
これにより、ＰＣケーブル３の本体部分を第一プレート１１の溝部１１３に嵌め入れて収容でき、ＰＣケーブル３に第一プレート１１を装着することが可能である。
基体１１１の外向き溝１１３は、製作する耐荷構造物の用途等により、数、大きさ、形成位置等の諸設定を適宜選択して形成する。
なお、開口１１２は、圧着グリップを挿通させる他に、耐荷構造体を構築するために管体４にコンクリートを充填させる際の充填性も良好としている。
【０００９】
＜ハ＞第二プレート
第二プレート１２は、基体１２１の周縁部１２２より基体１２１に、ＰＣケーブル３を挿通させる内向き溝１２３を形成した円盤形の板体である。
ＰＣケーブル３への第ニプレート１２の装着は、基体１２１の周縁部１２２側にＰＣケーブル３を位置させ、各内向き溝１２３にＰＣケーブル３を嵌め入れて行う。
この際図２に示すように、ＰＣケーブル３の本体部分を基体１２１の周縁部１２２より嵌め入れて収容するだけで、圧着グリップ３１の有無に拘わらずＰＣケーブル３に第ニプレート１２を装着することが可能である。
基体１２１の内向き溝１２３は、製作する耐荷構造体の用途等及び前述した第一プレート１１により、数、大きさ、形成位置等の諸設定を適宜選択して形成する。
また第二プレート１２には、内向き溝１２３に干渉しない位置に耐荷構造体を構築するために管体４に充填するコンクリート等の充填性を考慮して開口１２４を開設し、図示したような円環形とすることも可能である。
【００１０】
＜ニ＞押圧板
押圧板２は、第一プレート１１及び第二プレート１２を装着したＰＣケーブル３の圧着グリップ３１を拘束するための部材である。
押圧板２は、第一プレート１１及び第二プレート１２をＰＣケーブル３に装着した後に、圧着グリップ３１を挟持するようにボルト等の公知の締結手段により前記プレート１１，１２に装着する。
【００１１】
【作用】
以下、圧着グリップ付ＰＣケーブル用プレートのアンカープレートとしての装着について、端部に定着具を予め有するＰＣ材を一例に説明する。
【００１２】
＜イ＞第一プレートの装着
圧着グリップ付ＰＣケーブル用プレートのＰＣケーブルへの装着においては、先ず圧着グリップ付ＰＣケーブル用プレートの一構成部材である第一プレートを装着する。
第一プレートは、基体にＰＣケーブルよりも大きな径の開口が形成されており、ここにＰＣケーブルの圧着グリップを挿通させる。
基体の開口に挿通されたＰＣケーブルは、圧着グリップよりも径の小さい本体部分を外向き溝に嵌め入れて収容する。
この際ＰＣケーブルは、圧着グリップが基体で係止され抜け落ちない。
【００１３】
＜ロ＞第二プレートの装着
第一プレートに続いて、第二プレートをＰＣケーブルに装着する。
第二プレートは、基体の周縁部に内向き溝が形成してあるから、基体の周縁部にＰＣケーブルを位置させて、内向き溝へ嵌め入れて収容する。
さらに、第二プレートを第一プレートと一体となるように移動させて組み合わせる。
第一プレートと第二プレートとを一体に組み合わせることにより、各プレートの溝部とプレート本体とが重なり合い、ＰＣケーブルを囲繞可能とするスペースのみを開口させるため、従来のアンカープレートと比較しても、支圧面積を減らすことなくアンカープレートとして機能させることが可能である。
【００１４】
＜ハ＞押圧板の装着
第一プレートと第二プレートとを組み合わせた後に、ＰＣケーブルの圧着グリップを拘束するための押圧板を装着する。
押圧板は、ボルト留め等の公知の接続手段によりアンカープレートに取り付ける。
【００１５】
【発明の実施の形態２】
発明の実施の形態１には、圧着グリップ付ＰＣケーブル用プレートをＰＣケーブル端部にアンカープレートとして装着した一例について説明してある。
これに対して、圧着グリップ付ＰＣケーブル用プレートをＰＣケーブルの中途を支持するスペーサとして配設することが可能である。
【００１６】
この場合、第一プレートと第二プレートは、ＰＣケーブル端部に装着したように一体となるように組み合わせ、ＰＣケーブルの途中に位置させて用いても良い。
また、第一プレートと第二プレートとをスペーサとして用いる場合、両プレート間に所定の間隔を設けることが考えられので、以下に詳説する。
【００１７】
図３に示すように圧着グリップ付ＰＣケーブル用プレート１３は、第一プレート１１と第二プレート１２とをＰＣケーブル３のスペーサとして機能させる際、ＰＣケーブル３を充分に支持することを考慮し、第一プレート１１と第二プレート１２との組み合わせ間隔を離すことにより、スペーサによるＰＣケーブル３の支持間隔を長く取っても良い。
第一プレート１１と第二プレート１２との間に例えば公知のボルト材等の連結具５を介在させることで、第一プレート１１と第二プレート１２とを離隔させて構成する。
以上の構成により、第一プレート１１部分と第二プレート１２部分との二箇所において、ＰＣケーブル３を支持することができる。
【００１８】
【発明の実施の形態３】
発明の実施の形態１及び２においては、圧着グリップ付ＰＣケーブル用プレートを構成するプレートとして円環板を呈した一例について説明してある。
これに対してプレートをＰＣケーブル配設に必要となる部分のみとした円弧状とすることも可能である。
【００１９】
【発明の実施の形態４】
前述した各発明の実施の形態においては、基体の開口より溝部を形成した第一プレート、基体の外周縁部より溝部を形成した第二プレートの順にＰＣケーブルへ装着してスペーサ兼用アンカープレートを構成する一例について説明してある。
これに対して、第二プレートより先行してＰＣケーブルに装着することも可能である。
即ち、第一プレートと第二プレートとを組み合わせることにより、夫々に形成された溝部がＰＣケーブル挿通用のスペースを形成すれば、ＰＣケーブルに装着するプレートはどちらが先行しても良い。
【００２０】
【発明の効果】
本発明は以上説明したようになるから次の効果を得ることができる。
＜イ＞  定着具である圧着グリップを予め取り付けたＰＣ材でも、ＰＣケーブルの本体部分を各プレートの内向き溝或いは外向き溝に水平方向に嵌め入れることにより、圧着ブリップに定着具を干渉させることなく、支圧板である圧着グリップ付ＰＣケーブル用プレートを簡単に定着させることが可能である。
＜ロ＞  圧着グリップ付ＰＣケーブル用プレートは、予め圧着グリップが配設されたＰＣケーブルに配設、及び耐荷構造体を製造する際に管体に充填するコンクリート等の充填性を考慮し、プレート中央に開口を形成しながら、残りの円環形部分には二枚のプレートの溝方向を夫々相違させて組み合わせることにより、残りの支圧面積を損なうことが無い。
【図面の簡単な説明】
【図１】  本発明に係る圧着グリップ付ＰＣケーブル用アンカープレートの説明図
【図２】  発明の実施の形態１に係る圧着グリップ付ＰＣケーブル用アンカープレートの説明図
【図３】  発明の実施の形態２に係る圧着グリップ付ＰＣケーブル用アンカープレートの説明図
【符号の説明】
１          圧着グリップ付ＰＣケーブル用アンカープレート
１１        第一プレート
１１１      基体
１１２      開口
１１３      外向き溝
１２        第二プレート
１２１      基体
１２２      周縁部
１２３      内向き溝
１２４      開口
１３        圧着グリップ付ＰＣケーブル用アンカープレート
２          押圧板
３          ＰＣケーブル
３１        定着具
４          管体
５          連結具
【図１】
0004096079.tif 000002
【図２】
0004096079.tif 000003
【図３】
0004096079.tif 000004